(57)【要約】    【課題】ホワイトボード面にペンを保持しつつ、その安全性を高めることのできるペンの保持構造の提供。    【解決手段】ペン１の軸線に対して基端側に全体として傾斜する吸着面５を備えた保持部３を形成する。吸着面５を曲面状に形成する。吸着面５の一部にマグネット６を埋設する。吸着面５が磁力によってホワイトボード面に吸着する。ペン１がホワイトボード面４に斜めに着く。マグネット６がホワイトボード面４から離れても吸引される。ペン１がホワイトボード面４に揺動自在に保持される。ペン１に不用意に当たったとしても、その変位及び復帰によって、破損や脱落、目などを突いたりするのを防止する。【選択図】  図２
2008254403.tif 000002
【特許請求の範囲】
【請求項１】
ペンを壁面に保持する保持部を備え、該保持部に、磁力によって壁面に吸着する吸着面が設けられ、該吸着面は、ペンの軸線に沿って基端側に向かうほどペンの軸線に近づくようペンの軸線に対して全体として傾斜して形成され、ペンを、壁面に対して傾斜する傾斜姿勢と壁面に平行な平行姿勢との間で揺動自在に保持することを特徴とするペンの保持構造。
【請求項２】
前記吸着面は、曲面状に形成されると共に、その一部にマグネットが埋設されたことを特徴とする請求項１に記載のペンの保持構造。
【請求項３】
前記吸着面は、ペンの軸線に沿って基端側に向かうほどペンの軸線に近づくようペンの軸線に対して傾斜するテーパ状に形成されると共に、その一部にマグネットが埋設されたことを特徴とする請求項１に記載のペンの保持構造。
【請求項４】
前記保持部に、磁力によって壁面に吸着する第二吸着面が設けられ、該第二吸着面は、ペンの軸線と平行、又はペンの軸線に沿って先端側に向かうほどペンの軸線に近づくようペンの軸線に対して全体として傾斜して形成され、ペンを、壁面と平行に保持することを特徴とする請求項１、２又は３に記載のペンの保持構造。
【請求項５】
前記保持部がマグネットから形成され、該マグネットの磁極の近傍に前記吸着面が形成されたことを特徴とする請求項１に記載のペンの保持構造。
【請求項６】
前記保持部は、ペンのキャップに形成されたことを特徴とする請求項１〜５のいずれかに記載のペンの保持構造。
【請求項７】
前記キャップに、滑り止めとしての凹凸が形成されたことを特徴とする請求項６に記載のペンの保持構造。
【請求項８】
キャップ用又は本体用のアタッチメントが設けられ、該アタッチメントが前記保持部とされたことを特徴とする請求項１〜５のいずれかに記載のペンの保持構造。
【発明の詳細な説明】
【技術分野】
【０００１】
本発明は、例えばホワイトボード面にペンを保持するためのペンの保持構造に関するものである。
【背景技術】
【０００２】
一般に、ホワイトボードなどに筆記する際、色や太さの異なる数種類のペンの中から筆記用のペンを選んで筆記しており、ペンを置いた後、その筆記用のペンを見失うことがある。また、ペンから外したキャップを見失いやすいことから、外したキャップを片手に持ったまま筆記することが多く、片手に書類などを持って、その内容をホワイトボードに書き写すような場合には、一方の手に書類とキャップとを持つことになり、煩わしくなる。
【０００３】
これに対して、特許文献１は、ボード面などにキャップを固定するようにした白板用マーカーを開示している。図１３に特許文献１の白板用マーカーの斜視図を示す。
【０００４】
白板用マーカー１０１は、本体部１０２及びキャップ１０３と、キャップ１０３に設けられた固定用部材１０４とからなり、固定用部材１０４をボード面１０５に粘着固定することにより、本体部１０２がボード面１０５から立ち上げられる。この白板用マーカー１０１は、片手で本体部１０２を掴んで引っ張ることにより、本体部１０２からキャップ１０３を取り外すと共に、ボード面１０５に残したままにするようになっている。
【特許文献１】特開２００２−３４７３８６号公報（段落番号００１４、００１５、００１８、図１）
【発明の開示】
【発明が解決しようとする課題】
【０００５】
ところが、特許文献１の白板用マーカーは、ボード面から突出させて強固に固定するものであり、不用意に当たって破損したり、目を突いたりするおそれがある。
【０００６】
本発明は、ホワイトボードなどの壁面にペンを保持しつつ、その安全性を高めることのできるペンの保持構造の提供を目的とする。
【課題を解決するための手段】
【０００７】
上記目的を達成するため、本発明に係るペンの保持構造は、ペンを壁面に保持する保持部を備え、この保持部に、磁力によって壁面に吸着する吸着面を設けたものであり、その吸着面をペンの軸線に沿って基端側に向かうほどペンの軸線に近づくようペンの軸線に対して全体として傾斜して形成することにより、ペンを、壁面に対して傾斜する傾斜姿勢と壁面に平行な平行姿勢との間で揺動自在に保持するものである。
【０００８】
上記構成によれば、吸着面を基端側に向かうほどペンの軸線に近づくよう全体として傾斜させるので、ペンをホワイトボードなどの壁面に斜めに着けることができ、これにより、ペンを目立ちやすくして見失わないようにすると共に、取りやすくすることができる。しかも、磁力によってペンを傾斜姿勢と平行姿勢との間で揺動自在に保持することにより、ペンに不用意に当たったとしても、そのペンが一旦平行姿勢まで変位してから所定の傾斜姿勢に復帰するので、ペンの破損や脱落を防止することができ、目などを突いたりするおそれもない。
【０００９】
ここで、平行姿勢とは、壁面とほぼ平行な姿勢のことであり、壁面と厳密に平行であることを意味するものではない。なお、傾斜姿勢のペンが壁面に対してなす角度を１５°〜４５°の範囲に設定するのが望ましい。
【００１０】
ペンを揺動自在に保持するための具体的な構成として、吸着面を曲面状に形成すると共に、その一部にマグネットを埋設した構成を例示することができる。この構成を採用すれば、壁面に曲面状の吸着面を転がすようにしてペンを揺動させることができ、しかも、ペンの揺動に伴って壁面から離れたマグネットが再び壁面に吸引されることにより、ペンが所定の傾斜姿勢に復帰する。また、吸着面を、ペンの軸線に沿って基端側に向かうほどペンの軸線に近づくようペンの軸線に対して傾斜するテーパ状に形成すると共に、その一部にマグネットを埋設した構成を採用することもできる。この場合、テーパの端部に曲面を形成してスムーズに揺動するようにするのが望ましい。なお、マグネットを埋設するとは、マグネットの表面を露出させつつ埋設することをも含む概念である。
【００１１】
さらに、保持部に、磁力によって壁面に吸着する第二吸着面を設け、この第二吸着面をペンの軸線と平行、又はペンの軸線に沿って先端側に向かうほどペンの軸線に近づくようペンの軸線に対して全体として傾斜して形成するようにしてもよい。具体的には、図３（ｂ）に示す第二吸着面８がペンの軸線と平行に形成したものであり、図３（ａ）に示す第二吸着面８がペンの軸線に対して傾斜して形成したものである。そうすれば、第二吸着面を壁面に吸着させることにより、ペンを壁面と平行に保持することができ、ホワイトボードなどの使用後、その壁面から突出させることなくペンを保持することができる。なお、ペンを壁面と平行に保持するとは、ペンを壁面とほぼ平行に保持することをいう。
【００１２】
保持部をマグネットから形成し、このマグネットのＳ極又はＮ極のいずれかの磁極の近傍に吸着面を形成することもできる。マグネットは、その磁極が最も吸引力の強い部位であるので、ペンの揺動に伴って壁面から離れた磁極が再び壁面に吸引されることにより、ペンが所定の傾斜姿勢に復帰する。しかも、磁極から離れた部位にもある程度の磁力があるので、より脱落しにくく、さらに、壁面に適当な角度で着けたとしても脱落することがなく、そのまま磁極が壁面に近づいた状態の所定の傾斜角度に移行する。
【００１３】
保持部をペンのキャップに形成すれば、ホワイトボードなどの壁面に筆記する際、ペンから外したキャップを壁面に保持することができるので、そのキャップを見失うのを防止することができる。さらに、キャップに、滑り止めとしての凹凸を形成すれば、片手でキャップ簡単に着脱することができるので、例えば片手に書類を持ったままの筆記を容易にすることができる。
【００１４】
また、吸着面は、キャップに限らずペン本体に形成することができる。さらに、キャップ用又は本体用のアタッチメントを設け、このアタッチメントを保持部としてもよい。これにより、従来から用いられているペンに保持部を設けて、壁面に揺動自在に吸着保持することができる。
【発明の効果】
【００１５】
以上の説明から明らかな通り、本発明によると、ペンに保持部を設けて、ホワイトボードなどの壁面で保持するので、色や太さの異なる数種類のペンを使用する場合や、片手に書類などを持って筆記する場合であっても、ペン本体やキャップを見失わないようにすることができる。しかも、壁面が保持するペンに不用意に当たったとしても、そのペンが揺動することにより、ペンの破損や脱落、あるいは目などを突くおそれを防止することができ、安全性を高めることができる。
【発明を実施するための最良の形態】
【００１６】
以下、本発明に係るペンの保持構造の第１実施形態〜第８実施形態について、図面を用いて説明する。第１実施形態〜第８実施形態のペンの保持構造は、いずれも、ホワイトボード面に筆記するためのペンを、ホワイトボード面に対して傾斜する傾斜姿勢とホワイトボード面に平行な平行姿勢との間で、ホワイトボード面に揺動自在に保持するためのものである。
【００１７】
［第１実施形態］
図１は本発明に係るペンの保持構造の第１実施形態を示すペンの側面図であり、図２はホワイトボード面に保持されたペンの側面図である。
【００１８】
第１実施形態のペンの保持構造は、ペン１に装着されるキャップ２の基端部に保持部３を形成し、この保持部３に、磁力によってホワイトボード面４に吸着する吸着面５を形成した構造とされる。
【００１９】
キャップ２は、その保持部３が膨らんだ球面状に形成され、保持部３のうち、ペン１の軸線と平行な面よりも基端側に吸着面５が設けられて、この吸着面５にマグネット６が埋設されている。すなわち、吸着面５は、ペン１の軸線に沿って基端側に向かうほどペン１の軸線に近づくようペン１の軸線に対して全体として傾斜している。このキャップ２には、滑り止めとしての凹凸７が形成され、ペン１からキャップ２を片手で簡単に外すことができるようになっている。なお、マグネット６は、例えばネオジウム磁石のような磁力の強いものが望ましい。
【００２０】
ペン１にキャップ２を装着して、その吸着面５のマグネット６をホワイトボード面４に着けることにより、ペン１が、ホワイトボード面４に対して傾斜する傾斜姿勢で保持されると共に、この傾斜姿勢と、例えばペン１の先端がホワイトボード面４に当たってほぼ平行となる平行姿勢との間で揺動自在とされる。
【００２１】
これにより、色や太さの異なる数種類のペン１を使用する場合であっても、ペン１を見失うことがなく、しかも、ホワイトボード面４が保持するペン１に不用意に当たったとしても、そのペン１が揺動することにより、ペン１の破損や脱落、あるいは目などを突くおそれを防止するので、安全性が高まる。
【００２２】
ホワイトボード面４への筆記を開始するとき、ホワイトボード面４に傾斜姿勢で保持されたペン１を持って、その手でキャップ２を外し、このキャップ２をホワイトボード面４に残したまま筆記する。これにより、筆記中もキャップ２を見失うことがなく、しかも、片手に書類などを持った状態での筆記を容易にする。
【００２３】
ホワイトボード面４への筆記を終了あるいは中断するとき、ペン１を、ホワイトボード面４に保持されたキャップ２に嵌めることにより、ペン１がホワイトボード面４に傾斜姿勢で揺動自在に保持される。なお、キャップ２がホワイトボード面４に斜めに保持されているので、片手でも、ペン１をキャップ２に容易に嵌めることができる。
【００２４】
［第２実施形態］
図３は本発明に係るペンの保持構造の第２実施形態を示すペンの側面図であり、（ａ）は第二吸着面がペンの軸線に対して傾斜する形態を示し、（ｂ）は第二吸着面がペンの軸線と平行な形態を示す。図４はホワイトボード面に保持されたペンの側面図で、（ａ）は傾斜姿勢に保持する状態を示し、（ｂ）は平行姿勢に保持する状態を示す。
【００２５】
第２実施形態のペンの保持構造は、第１実施形態とほぼ同じ構成であるが、キャップ２の保持部３に、磁力によってホワイトボード面４に吸着する第二吸着面８を設けた構造とされる。
【００２６】
第二吸着面８は、保持部３のうち、ペン１の軸線と平行な部位よりも先端側で、ペン１の軸線に沿って先端側に向かうほどペン１の軸線に近づくようペン１の軸線に対して全体として傾斜する部位に、マグネット９を埋設してなる（図３（ａ））。あるいは、ペン１の軸線と平行な部位にマグネット９を埋設してなる（図３（ｂ））。第二吸着面８のマグネット９をホワイトボード面４に着けることにより、ペン１が、例えばその先端がホワイトボード面４に当たって平行となる平行姿勢で保持される。これにより、ホワイトボード面４への筆記が終了したときなど、ペン１をホワイトボード面４から突出させることなく保持することができる。なお、他の構成は、第１実施形態と同じである。
【００２７】
［第３実施形態］
図５は本発明に係るペンの保持構造の第３実施形態を示すペンの側面図である。図６はホワイトボード面に保持されたペンの側面図で、（ａ）は傾斜姿勢に保持する状態を示し、（ｂ）は平行姿勢に保持する状態を示す。
【００２８】
第３実施形態のペンの保持構造は、第２実施形態とほぼ同じ構成であるが、キャップ２の保持部１０の全体をマグネットで形成した構造とされる。
【００２９】
保持部１０を構成するマグネットの磁極１１、１２は、ペン１の軸線に対して傾斜して設けられ、一方の磁極１１の近傍が吸着面５とされ、他方の磁極１２の近傍が第二吸着面８とされる。なお、他の構成は、第２実施形態と同じである。
【００３０】
［第４実施形態］
図７は本発明に係るペンの保持構造の第４実施形態を示すペンの側面図である。
【００３１】
第４実施形態のペンの保持構造は、第１実施形態とほぼ同じ構成であるが、キャップ２の保持部１３に、磁力によってホワイトボード面４に吸着する二つのテーパ状の吸着面１４を形成した構造とされる。
【００３２】
吸着面１４は、ペン１の軸線に沿って基端側に向かうほどペン１の軸線に近づくようペン１の軸線に対して傾斜するテーパ状に形成されると共に、その一部にマグネット６が埋設されている。なお、吸着面１４は、二つに限らず、一つあるいは三つ以上であってもよい。他の構成は、第１実施形態と同じである。
【００３３】
［第５実施形態］
図８は本発明に係るペンの保持構造の第５実施形態を示すキャップの斜視図である。
【００３４】
第５実施形態のペンの保持構造は、第１実施形態とほぼ同じ構成であるが、キャップ２に球面状の保持部３を形成する代わりに、周方向の一部に突起１５を形成し、この突起１５に、磁力によってホワイトボード面４に吸着する曲面状の吸着面１６を形成した構造とされる。なお、他の構成は、第１実施形態と同じである。
【００３５】
［第６実施形態］
図９は本発明に係るペンの保持構造の第６実施形態を示すキャップの斜視図である。
【００３６】
第６実施形態のペンの保持構造は、第５実施形態とほぼ同じ構成であるが、突起１５に、曲面状の吸着面１６を形成する代わりに、テーパ状の吸着面１７を形成した構造とされる。なお、他の構成は、第５実施形態と同じである。
【００３７】
［第７実施形態］
図１０は本発明に係るペンの保持構造の第７実施形態を示すキャップの斜視図である。
【００３８】
第７実施形態のペンの保持構造は、第１実施形態とほぼ同じ構成であるが、キャップ２に膨らんだ球面状の保持部３を形成する代わりに、膨らませることなく、半球状の保持部１８を形成した構造とされる。なお、他の構成は、第１実施形態と同じである。
【００３９】
［第８実施形態］
図１１は本発明に係るペンの保持構造の第８実施形態を示すペン及びアタッチメントの側面図である。
【００４０】
第８実施形態のペンの保持構造は、第１実施形態とほぼ同じ構成であるが、キャップ２に膨らんだ球面状の保持部３を形成する代わりに、キャップ２に、例えばポリプロピレンなどの合成樹脂から形成された球面状のアタッチメント１９を外嵌装着するようにした構造とされる。アタッチメント１９には、吸着面５が形成され、このアタッチメント１９をキャップ２に装着することにより、第１実施形態と同じ構造となる。なお、他の構成は、第１実施形態と同じである。
【００４１】
なお、本発明は、上記の実施の形態に限定されるものではなく、本発明の範囲内において、適宜変更を加えることができる。例えば、図１２に示すように、アタッチメントは、複数種類の太さのキャップ２に装着できるようにしてもよい。図１２はキャップにアタッチメントを装着したペンの側面図を示し、アタッチメントの装着部は断面図を示す。
【００４２】
図１２（ａ）に示すアタッチメント２０は、例えばポリプロピレンなどの硬い素材からなり、保持部２１の下部にスカート状の装着部２２が形成されている。この装着部２２は、開口側が広がったテーパ状に形成されると共に、内側に段部２３が形成されているので、複数種類の太さのキャップ２に装着することができる。なお、装着部２２は、テーパ状でなくてもよい。
【００４３】
図１２（ｂ）に示すアタッチメント２４は、シリコーン樹脂などの柔らかい素材からなり、保持部２５の下部にスカート状の装着部２６が形成されている。この装着部２６は、開口側が広がったテーパ状に形成されると共に、キャップ２の太さに応じて変形する程度の柔らかい素材から形成されているので、複数種類の太さのキャップ２に装着することができる。なお、装着部２６は、テーパ状でなくてもよい。
【００４４】
図１２（ｃ）に示すアタッチメント２７は、例えばポリプロピレンなどの硬い素材からなり、保持部２８の下部にスカート状の装着部２９が形成されている。この装着部２９は、開口側が広がったテーパ状に形成されると共に、内側の複数箇所にリブ３０が形成されているので、複数種類の太さのキャップ２に装着することができる。なお、装着部２９は、全体としてテーパ状でなく、リブ３０のみがテーパ状であってもよい。
【００４５】
図１２（ｄ）に示すアタッチメント３１は、例えばポリプロピレンなどの硬い素材からなり、保持部３２の下部にスカート状の装着部３３が形成されている。この装着部３３は、開口側が広がったテーパ状に形成されると共に、内側にシリコーン樹脂などの柔らかい素材からなる滑り止め３４が形成されているので、複数種類の太さのキャップ２に装着することができる。なお、装着部３３は、テーパ状でなくてもよい。
【００４６】
吸着面は、キャップ２に設けるだけでなく、ペン１の本体に設けることもでき、キャップ２にアタッチメント１９、２０、２４、２７、３１を装着する代わりに、ペン１の本体にアタッチメント１９、２０、２４、２７、３１を装着するようにしてもよい。
【００４７】
ペン１の保持面は、マグネットを吸引するものであればよく、ホワイトボード面４だけでなく、他の壁面であってもよい。ペン１は、筆記した後に水で消せるインクを使用したペンを例示できるが、特に限定されるものではない。吸着面にマグネットを埋設する代わりに、吸着面に鉄などの磁性体を埋設して、マグネットを設けた壁面で保持するようにしてもよい。
【図面の簡単な説明】
【００４８】
【図１】本発明に係るペンの保持構造の第１実施形態を示すペンの側面図
【図２】ホワイトボード面に保持された第１実施形態のペンの側面図
【図３】第２実施形態を示すペンの側面図で、（ａ）は第二吸着面がペンの軸線に対して傾斜する形態、（ｂ）は第二吸着面がペンの軸線と平行な形態
【図４】ホワイトボード面に保持された第２実施形態のペンの側面図で、（ａ）は傾斜姿勢に保持する状態、（ｂ）は平行姿勢に保持する状態
【図５】第３実施形態を示すペンの側面図
【図６】ホワイトボード面に保持された第３実施形態のペンの側面図で、（ａ）は傾斜姿勢に保持する状態、（ｂ）は平行姿勢に保持する状態
【図７】第４実施形態を示すペンの側面図
【図８】第５実施形態を示すキャップの斜視図
【図９】第６実施形態を示すキャップの斜視図
【図１０】第７実施形態を示すキャップの斜視図
【図１１】第８実施形態を示すペン及びアタッチメントの側面図
【図１２】アタッチメントの別の形態を示す側面図
【図１３】従来の白板用マーカーの斜視図
【符号の説明】
【００４９】
１    ペン
２    キャップ
３、１３、１８  保持部
４    ホワイトボード面
５、１４、１６、１７  吸着面
６    マグネット
７    凹凸
８    第二吸着面
９    マグネット
１０  保持部
１１、１２  磁極
１５  突起
１９、２０、２４、２７、３１  アタッチメント
【図１】
2008254403.tif 000003
【図２】
2008254403.tif 000004
【図３】
2008254403.tif 000005
【図４】
2008254403.tif 000006
【図５】
2008254403.tif 000007
【図６】
2008254403.tif 000008
【図７】
2008254403.tif 000009
【図８】
2008254403.tif 000010
【図９】
2008254403.tif 000011
【図１０】
2008254403.tif 000012
【図１１】
2008254403.tif 000013
【図１２】
2008254403.tif 000014
【図１３】
2008254403.tif 000015